(57)【要約】【課題】駐車場の駐車容易性に基づいた処理をおこなうこと。【解決手段】情報処理装置１００は、取得部１０１、評価部１０２、処理部１０３、によって構成される。取得部１０１は、車両を駐車する駐車場の面積情報および当該駐車場に駐車可能な車両の台数情報を取得する。評価部１０２は、取得部１０１によって取得された面積情報および台数情報に基づいて、駐車場の駐車容易性を評価する。評価部１０２は、たとえば、面積情報と台数情報とに基づいて、駐車場の前記車両１台あたりの駐車面積を算出し、当該車両１台あたりの駐車面積が大きいほど駐車容易性が高いと評価する。処理部１０３は、評価部１０２によって評価された評価結果に基づく処理を実行する。【選択図】図１
2007240251.tif 000002
【特許請求の範囲】
【請求項１】
車両を駐車する駐車場の面積情報および当該駐車場に駐車可能な車両の台数情報を取得する取得手段と、
前記取得手段によって取得された面積情報および台数情報に基づいて、前記駐車場の駐車容易性を評価する評価手段と、
前記評価手段によって評価された評価結果に基づく処理を実行する処理手段と、
を備えることを特徴とする情報処理装置。
【請求項２】
前記評価手段は、前記面積情報と前記台数情報とに基づいて、前記駐車場の前記車両１台あたりの駐車面積を算出し、当該車両１台あたりの駐車面積が大きいほど駐車容易性が高いと評価することを特徴とする請求項１に記載の情報処理装置。
【請求項３】
前記取得手段は、所定のエリア内に位置する複数の駐車場（以下、「エリア内駐車場」という）の前記面積情報および前記台数情報を取得し、
前記評価手段は、前記エリア内駐車場の駐車容易性をそれぞれ評価し、
前記処理手段は、前記エリア内駐車場に対する駐車容易性の評価に基づいて、それぞれの駐車場を呈示することを特徴とする請求項１または２に記載の情報処理装置。
【請求項４】
前記処理手段は、前記駐車容易性が高いと評価された前記エリア内駐車場を優先して呈示することを特徴とする請求項３に記載の情報処理装置。
【請求項５】
前記処理手段は、呈示した前記エリア内駐車場のうち１つまたは複数の駐車場を指定する指定入力を受け付け、指定入力に対応する駐車場までの経路を探索して誘導することを特徴とする請求項３または４に記載の情報処理装置。
【請求項６】
車両を駐車する駐車場の面積情報および当該駐車場に駐車可能な車両の台数情報を取得する取得工程と、
前記取得工程によって取得された面積情報および台数情報に基づいて、前記駐車場の駐車容易性を評価する評価工程と、
前記評価工程によって評価された評価結果に基づく処理を実行する処理工程と、
を含んだことを特徴とする情報処理方法。
【請求項７】
請求項６に記載の情報処理方法をコンピュータに実行させることを特徴とする情報処理プログラム。
【請求項８】
請求項７に記載の情報処理プログラムを記録したコンピュータに読み取り可能な記録媒体。
【発明の詳細な説明】
【技術分野】
【０００１】
この発明は、駐車場の駐車容易性に基づく処理をおこなう情報処理装置、情報処理方法、情報処理プログラムおよび記録媒体に関する。ただし、この発明の利用は、上述した情報処理装置、情報処理方法、情報処理プログラムおよび記録媒体に限られない。
【背景技術】
【０００２】
従来、目的地点までの経路を案内するナビゲーション装置において、個々のユーザに寄り適切な案内をおこなうため、目的地点周辺の駐車場に関する情報を考慮して経路を探索するものがある。
【０００３】
このようなナビゲーション装置では、たとえば、施設を選択し、経路案内に必要なデータを格納した情報記憶手段から、選択した施設の駐車場或いは提携駐車場の有無情報を検索し、検索された有無情報から、駐車場或いは提携駐車場が有る場合には、該駐車場情報を表示し、駐車場或いは提携駐車場が無い場合には、前記選択された施設の周辺に存在する駐車場を検索して表示するようにしている（たとえば、下記特許文献１参照。）。
【０００４】
【特許文献１】特開２００５−２２７２９１号公報
【発明の開示】
【発明が解決しようとする課題】
【０００５】
しかしながら、上述した従来技術によれば、目的地点周辺の駐車場は検索できるものの、それぞれの駐車場の状況は知ることができないという問題点が一例として挙げられる。たとえば、検索された駐車場に到着したものの、駐車スペースや経路が狭いために駐車が困難な場合がある。
【０００６】
特に、運転初心者や高齢ドライバーなどにとっては、駐車場の選択にあたって、駐車スペースへの駐車容易性が重要となるが、従来技術では、このような情報を得ることができないという問題点が一例として挙げられる。また、熟練した運転者にとっても、初めて訪れる駐車場は、なるべく駐車が容易な駐車場であることが望ましい。
【課題を解決するための手段】
【０００７】
上述した課題を解決し、目的を達成するため、請求項１の発明にかかる情報処理装置は、車両を駐車する駐車場の面積情報および当該駐車場に駐車可能な車両の台数情報を取得する取得手段と、前記取得手段によって取得された面積情報および台数情報に基づいて、前記駐車場の駐車容易性を評価する評価手段と、前記評価手段によって評価された評価結果に基づく処理を実行する処理手段と、を備えることを特徴とする。
【０００８】
また、請求項６の発明にかかる情報処理方法は、車両を駐車する駐車場の面積情報および当該駐車場に駐車可能な車両の台数情報を取得する取得工程と、前記取得工程によって取得された面積情報および台数情報に基づいて、前記駐車場の駐車容易性を評価する評価工程と、前記評価工程によって評価された評価結果に基づく処理を実行する処理工程と、を含んだことを特徴とする。
【０００９】
また、請求項７の発明にかかる情報処理プログラムは、請求項６に記載の情報処理方法をコンピュータに実行させることを特徴とする。
【００１０】
また、請求項８の発明にかかる記録媒体は、請求項７に記載の情報処理プログラムを記録したコンピュータに読み取り可能なことを特徴とする。
【発明を実施するための最良の形態】
【００１１】
以下に添付図面を参照して、この発明にかかる情報処理装置、情報処理方法、情報処理プログラムおよび記録媒体の好適な実施の形態を詳細に説明する。
【００１２】
（実施の形態）
はじめに、実施の形態にかかる情報処理装置１００の機能的構成について説明する。図１は、実施の形態にかかる情報処理装置の機能的構成を示すブロック図である。実施の形態にかかる情報処理装置１００は、取得部１０１、評価部１０２、処理部１０３によって構成される。
【００１３】
取得部１０１は、車両を駐車する駐車場の面積情報および当該駐車場に駐車可能な車両の台数情報を取得する。面積情報は、たとえば、駐車場の総面積や複数階にわたる駐車場の各階の面積、１台あたりの駐車スペースの面積などの情報である。また、台数情報は、駐車可能な車両の台数の情報であるが、複数階にわたる駐車場の各階の駐車可能台数、車種ごとに駐車スペースが区別されている駐車場の車種ごとの駐車可能台数の情報を取得することとしてもよい。また、取得部１０１は、たとえば、駐車場の空き状況についての情報を合わせて取得することとしてもよい。
【００１４】
評価部１０２は、取得部１０１によって取得された面積情報および台数情報に基づいて、駐車場の駐車容易性を評価する。評価部１０２は、たとえば、面積情報と台数情報とに基づいて、駐車場の車両１台あたりの駐車面積を算出し、当該車両１台あたりの駐車面積が大きいほど駐車容易性が高いと評価する。
【００１５】
評価部１０２は、たとえば、駐車場の総面積を駐車可能台数で割った面積を車両１台あたりの駐車面積として算出する。また、たとえば、所定の割合の面積を通路などの共有スペース分として総面積から控除した上で、駐車可能台数で割った面積を車両１台あたりの駐車面積として算出する。
【００１６】
処理部１０３は、評価部１０２によって評価された評価結果に基づく処理を実行する。処理部１０３は、たとえば、評価部１０２によって評価された駐車場の評価結果を呈示する。また、指定された駐車場までの経路を探索して誘導する。
【００１７】
ここで、取得部１０１は、たとえば、所定のエリア内に位置する複数の駐車場（以下、「エリア内駐車場」という）の面積情報および台数情報を取得することとしてもよい。この場合、評価部１０２は、エリア内駐車場の駐車容易性をそれぞれ評価する。また、処理部１０３は、エリア内駐車場に対する駐車容易性の評価に基づいて、それぞれの駐車場を呈示する。
【００１８】
このとき、処理部１０３は、駐車容易性が高いと評価されたエリア内駐車場を優先して呈示することとしてもよい。優先して呈示するとは、たとえば、複数の駐車場をリスト化して表示する場合、リストの上部に該当する駐車場を表示したり、表示形式を他の駐車場と異ならせて表示することである。また、処理部１０３は、呈示したエリア内駐車場のうち１つまたは複数の駐車場を指定する指定入力を受け付け、指定入力に対応する駐車場までの経路を探索して誘導することとしてもよい。
【００１９】
つぎに、情報処理装置１００による情報処理について説明する。図２は、情報処理装置による情報処理の手順を示すフローチャートである。以下の説明では、エリア内駐車場についての処理をおこなう際の処理について説明する。
【００２０】
図２のフローチャートにおいて、情報処理装置１００は、まず、取得部１０１によって、所定のエリア内に位置する複数の駐車場（エリア内駐車場）の面積情報および台数情報を取得する（ステップＳ２０１）。つぎに、評価部１０２によって、エリア内駐車場の車両１台あたりの駐車面積をそれぞれ算出し（ステップＳ２０２）、エリア内駐車場の駐車容易性をそれぞれ評価する（ステップＳ２０３）。
【００２１】
評価部１０２によってそれぞれの駐車場が評価されると、処理部１０３によって、駐車容易性が高い順にエリア内駐車場を呈示する（ステップＳ２０４）。そして、１つまはた複数の駐車場が指定されるまで待機して（ステップＳ２０５：Ｎｏのループ）、駐車場が指定されると（ステップＳ２０５：Ｙｅｓ）、指定された駐車場までの経路を探索し（ステップＳ２０６）、指定された駐車場までの経路を誘導して（ステップＳ２０７）、本フローチャートによる処理を終了する。
【００２２】
以上説明したように、情報処理装置１００によれば、駐車場の面積情報および台数情報に基づいて駐車容易性を評価する。これにより、取得が容易な情報に基づいて、駐車場の駐車容易性を評価することができる。たとえば、面積情報と台数情報とに基づいて、車両１台あたりの駐車面積を算出し、車両１台あたりの駐車面積が大きいほど駐車容易性が高いと評価する。これにより、初心者などにも車両の出し入れが容易な駐車場を駐車容易性が高いと評価することができる。
【００２３】
また、情報処理装置１００によれば、駐車容易性の評価結果に基づいた処理を実行することができる。これにより、駐車容易性の程度によって、処理の内容を変更することができる。たとえば、所定のエリア内に位置する複数の駐車場の駐車容易性を評価した場合、駐車容易性が高いと評価された前記エリア内駐車場を優先して呈示する。これにより、駐車容易性の高い駐車場の判別を容易におこなうことができる。
【００２４】
また、情報処理装置１００によれば、呈示した複数の駐車場のうち１つまたは複数の駐車場を指定する指定入力を受け付け、指定入力に対応する駐車場までの経路を探索して誘導する。これにより、駐車容易性の高い駐車場への誘導を簡素な処理でおこなうことができる。
【実施例】
【００２５】
（ナビゲーション装置３００のハードウェア構成）
つぎに、上述した実施の形態にかかる情報処理装置１００の実施例について説明する。以下の実施例においては、情報処理装置１００を、目的地点までの経路を探索し、経路を誘導するナビゲーション装置３００に適用した場合について説明する。
【００２６】
図３は、ナビゲーション装置のハードウェア構成を示すブロック図である。図３において、ナビゲーション装置３００は、ＣＰＵ３０１と、ＲＯＭ３０２と、ＲＡＭ（メモリ）３０３と、磁気ディスクドライブ３０４と、磁気ディスク３０５と、光ディスクドライブ３０６と、光ディスク３０７と、音声Ｉ／Ｆ（インターフェース）３０８と、マイク３０９と、スピーカ３１０と、入力デバイス３１１と、映像Ｉ／Ｆ３１２と、カメラ３１３と、ディスプレイ３１４と、通信Ｉ／Ｆ３１５と、ＧＰＳユニット３１６と、各種センサ３１７とを備えている。また、各構成部３０１〜３１７はバス３２０によってそれぞれ接続されている。
【００２７】
まず、ＣＰＵ３０１は、ナビゲーション装置３００の全体の制御を司る。ＲＯＭ３０２は、ブートプログラム、通信プログラム、データベース作成プログラム、データ解析プログラムなどのプログラムを記録している。ＲＡＭ３０３は、ＣＰＵ３０１のワークエリアとして使用される。
【００２８】
磁気ディスクドライブ３０４は、ＣＰＵ３０１の制御に従って磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００２９】
光ディスクドライブ３０６は、ＣＰＵ３０１の制御に従って光ディスク３０７に対するデータの読み取り／書き込みを制御する。光ディスク３０７は、光ディスクドライブ３０６の制御に従ってデータが読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００３０】
磁気ディスク３０５、光ディスク３０７に記録される情報の他の一例として、経路探索・経路誘導などに用いる地図データが挙げられる。地図データは、建物、河川、地表面などの地物（フィーチャ）を表す背景データと、道路の形状を表す道路形状データとを有しており、ディスプレイ３１４の表示画面において２次元または３次元に描画される。ナビゲーション装置３００が経路誘導中の場合は、地図データと後述するＧＰＳユニット３１６によって取得された自車の現在地点とが重ねて表示されることとなる。
【００３１】
ここで、背景データは、さらに、背景の形状をあらわす背景形状データと、背景の種類をあらわす背景種別データとを有する。背景形状データは、たとえば、地物の代表点・ポリライン・ポリゴン・地物の座標などを含んでいる。また、背景種別データは、たとえば、地物の名称や住所・電話番号をあらわすテキストデータ、建物・河川・地表面などの地物の種別データを含んでいる。
【００３２】
さらに、地図中の主要な施設（ＰＯＩ：Ｐｏｉｎｔ  ｏｆ  Ｉｎｔｅｒｅｓｔ）に関しては、営業時間、駐車場の有無などの情報を施設情報として有している。さらに、地物のうち、「ガソリンスタンド」や「コンビニエンスストア」など、所定の目的のために設けられている施設は、その種類によってジャンル分けされている。そして、地物の代表点および座標のデータと、施設情報・ジャンル情報とが関連付けられている。このとき施設が分類されるジャンルは、上記のガソリンスタンドやコンビニエンスストアの他、たとえば、駐車場、駅などがある。
【００３３】
このうち、駐車場に関する施設情報には、駐車場の総面積、駐車可能台数、１台あたりの駐車面積、営業時間、料金、形式（平面式か立体式かなど）、配置図などの情報が含まれている。また、たとえば、地図上に表示された駐車場をクリックするなどのトリガーによって、駐車場の運営者の駐車場管理サーバなどに接続し、リアルタイムの空き状況を確認できることとしてもよい。
【００３４】
また、道路形状データは、さらに交通条件データを有する。交通条件データには、たとえば、各ノードについて、信号機や横断歩道などの有無、高速道路の出入り口やジャンクションの有無、各リンクについての長さ（距離）、道幅、進行方向、道路種別（高速道路、有料道路、一般道路など）などの情報が含まれている。
【００３５】
地図データの更新は、後述する通信Ｉ／Ｆ３１５を介して地図データベースサーバに接続し、最新バージョンの地図への更新データをダウンロードすることによっておこなう。また、地図データの更新は、地図データを一括して更新するのみならず、所定のデータ単位ごとに分けておこなうことが可能である。
【００３６】
音声Ｉ／Ｆ３０８は、音声入力用のマイク３０９および音声出力用のスピーカ３１０に接続される。マイク３０９に受音された音声は、音声Ｉ／Ｆ３０８内でＡ／Ｄ変換される。また、スピーカ３１０からは音声が出力される。なお、マイク３０９から入力された音声は、音声データとして磁気ディスク３０５あるいは光ディスク３０７に記録可能である。
【００３７】
入力デバイス３１１は、文字、数値、各種指示などの入力のための複数のキーを備えたリモコン、キーボード、マウス、タッチパネルなどが挙げられる。さらに、入力デバイス３１１は、デジタルカメラや携帯電話端末などの他の情報処理端末を接続し、データの入出力をおこなうことができる。
【００３８】
映像Ｉ／Ｆ３１２は、映像入力用のカメラ３１３および映像出力用のディスプレイ３１４と接続される。映像Ｉ／Ｆ３１２は、具体的には、たとえば、ディスプレイ３１４全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１４を表示制御する制御ＩＣなどによって構成される。
【００３９】
カメラ３１３は、車両内外の映像を撮像し、画像データとして出力する。カメラ３１３で撮像された画像は、画像データとして磁気ディスク３０５あるいは光ディスク３０７に記録可能である。ディスプレイ３１４には、アイコン、カーソル、メニュー、ウインドウ、あるいは文字や画像などの各種データが表示される。このディスプレイ３１４は、たとえば、ＣＲＴ、ＴＦＴ液晶ディスプレイ、プラズマディスプレイなどを採用することができる。
【００４０】
通信Ｉ／Ｆ３１５は、無線を介してネットワークに接続され、ナビゲーション装置３００とＣＰＵ３０１とのインターフェースとして機能する。通信Ｉ／Ｆ３１５は、さらに、無線を介してインターネットなどの通信網に接続され、この通信網とＣＰＵ３０１とのインターフェースとしても機能する。通信網には、ＬＡＮ、ＷＡＮ、公衆回線網や携帯電話網などがある。
【００４１】
ＧＰＳユニット３１６は、ＧＰＳ衛星からの電波を受信し、車両の現在地点（ナビゲーション装置３００の現在地点）を示す情報を出力する。ＧＰＳユニット３１６の出力情報は、後述する各種センサ３１７の出力値とともに、ＣＰＵ３０１による車両の現在地点の算出に際して利用される。現在地点を示す情報は、たとえば緯度・経度、高度などの、地図データ上の１点を特定する情報である。
【００４２】
また、各種センサ３１７は、車速センサや加速度センサ、角速度センサなどの、車両の位置や挙動を判断することが可能な情報を出力する。各種センサ３１７の出力値は、ＣＰＵ３０１による現在地点の算出や、速度や方位の変化量の測定に用いられる。
【００４３】
また、実施の形態にかかる情報処理装置１００の構成のうち、取得部１０１は磁気ディスクドライブ３０４および磁気ディスク３０５、光ディスクドライブ３０６および光ディスク３０７、通信Ｉ／Ｆ３１５によって、評価部１０２はＣＰＵ３０１によって、処理部１０３はＣＰＵ３０１、音声Ｉ／Ｆ３０８、スピーカ３１０、入力デバイス３１１、映像Ｉ／Ｆ３１２、ディスプレイ３１４などによって、それぞれの機能を実現する。
【００４４】
（ナビゲーション装置３００による経路誘導処理）
つぎに、ナビゲーション装置３００による経路誘導処理について説明する。ナビゲーション装置３００は、ユーザによって目的地点が設定されると、目的地点周辺の駐車場を検索する。そして、検索された駐車場の駐車容易性を評価して、評価結果が高い順に駐車場を表示する。これにより、ユーザは駐車場を選択するにあたって、それぞれの駐車場の駐車容易性を選択のための指標として用いることができる。
【００４５】
図４は、ナビゲーション装置による経路誘導処理の手順を示すフローチャートである。図４のフローチャートにおいて、ナビゲーション装置３００のＣＰＵ３０１は、まず、ユーザによって目的地点が設定されるまで待機する（ステップＳ４０１：Ｎｏのループ）。目的地点の入力は、入力デバイス３１１を介しておこなわれる。
【００４６】
目的地点が設定されると（ステップＳ４０１：Ｙｅｓ）、磁気ディスク３０５または光ディスク３０７に記録された地図データにアクセスし、目的地点周辺の駐車場を検索する（ステップＳ４０２）。駐車場を検索する範囲は、たとえば、「目的地点から徒歩３分以内」などと設定できるようにしてもよい。また、検索する駐車場の駐車料金の上限や、駐車場の形態（立体／平面、有人／無人の別）などを設定できるようにしてもよい。
【００４７】
つぎに、ＣＰＵ３０１は、磁気ディスク３０５または光ディスク３０７に記録された地図データにアクセスし、検索した駐車場の面積情報および収容台数情報を取得する（ステップＳ４０３）。駐車場の面積は、総面積の他、車両１台あたりの駐車面積や、立体駐車場の各階の面積などであってもよい。また、収容台数は、駐車場全体の収容台数の他、車種別の収容台数や立体駐車場の各階の収容台数であってもよい。これらの情報がナビゲーション装置３００に記録された地図データに含まれていない場合は、通信Ｉ／Ｆ３１５を介して地図データベースサーバにアクセスし、最新の地図データを受信してもよい。また、駐車場の運営者の駐車場データベースにアクセスし、面積情報や台数情報がないか検索してもよい。
【００４８】
ＣＰＵ３０１は、ステップＳ４０３で取得した情報を用いて、車両１台あたりの駐車面積を算出する（ステップＳ４０４）。車両１台あたりの駐車面積は、たとえば、駐車場の総面積を収容台数で割ることによって算出する。また、たとえば、駐車場の総面積に、通路スペースなどを差し引くための係数（＜１）を掛け合わせた面積を収容台数で割ってもよい。
【００４９】
なお、面積情報として車両１台あたりの駐車面積を取得した場合には、本ステップで算出する必要はないが、たとえば、車両１台あたりの駐車面積と収容台数とを掛け合わせて、駐車場全体の駐車面積を算出する。そして、駐車場全体の駐車面積を駐車場全体の総面積から差し引けば、通路などの面積を算出することができる。この情報を、後述するステップＳ４０５の駐車容易性の評価に用いてもよい。
【００５０】
つぎに、ＣＰＵ３０１は、検索した駐車場の駐車容易性をそれぞれ評価する（ステップＳ４０５）。駐車容易性は、たとえば、車両１台あたりの駐車面積の大きさや、通路面積の広さなどによって評価する。また、評価にあたって重視する項目をユーザに設定させてもよい。たとえば、ユーザによっては、総面積が広い駐車場は、駐車位置が店舗の入り口から離れた場所なる可能性があるので避けたい場合がある。このようなユーザの要望をあらかじめ設定しておけば、より適切な駐車場をユーザに呈示することができる。
【００５１】
そして、検索した駐車場を評価が高い順にリスト化し（ステップＳ４０６）、ディスプレイ３１４に表示する（ステップＳ４０７）。ユーザは、ディスプレイ３１４に表示された駐車場のリストから利用する駐車場を選択する。ＣＰＵ３０１は、駐車場が選択されるまで待機し（ステップＳ４０８：Ｎｏのループ）、駐車場が選択されると（ステップＳ４０８：Ｙｅｓ）、選択された駐車場までの経路を探索する（ステップＳ４０９）。なお、ステップＳ４０８で選択される駐車場は複数であってもよく、複数の駐車場が選択された場合には、それぞれの駐車場までの経路を探索する。この場合、ユーザは探索された経路を見て、どの駐車場に駐車するかを決めることとなる。
【００５２】
ＣＰＵ３０１は、車両が走行を開始するまで待機し（ステップＳ４１０：Ｎｏのループ）、車両が走行を開始すると（ステップＳ４１０：Ｙｅｓ）、駐車場までの経路を誘導する（ステップＳ４１１）。車両が駐車場に到達するまでは（ステップＳ４１２：Ｎｏ）、ステップＳ４１１に戻り、以降の処理を繰り返す。そして、車両が駐車場に到達すると（ステップＳ４１２：Ｙｅｓ）、本フローチャートによる処理を終了する。
【００５３】
図５は、駐車場の検索結果の表示例を示す説明図である。図５において、ディスプレイ３１４には、目的地点周辺の駐車場の検索結果画面５０１が表示されている。検索結果画面５０１は、駐車場名称表示部５１１、占有面積表示部５１２、総面積表示部５１３、収容台数表示部５１４、所要時間表示部５１５、料金表示部５１６、駐車容易度表示部５１７によって構成される。
【００５４】
駐車場名称表示部５１１は、検索された駐車場の名称を表示する。駐車面積表示部５１２は、車両１台あたりの駐車面積を表示する。なお、車種によって駐車面積が異なる駐車場においては、ナビゲーション装置３００が搭載された車両の車種の駐車面積を表示することとしてもよい。
【００５５】
総面積表示部５１３は、駐車場の総面積を表示する。収容台数表示部５１４は、駐車場の駐車可能台数を表示する。所要時間表示部５１５は、駐車場から目的地点（図４のステップＳ４０１で設定された地点）までの所要時間を表示する。料金表示部５１６は、駐車場の単位時間あたりの利用料金を表示する。
【００５６】
駐車容易度表示部５１７は、図４のステップＳ４０５で評価された駐車場の駐車容易性を点数化して表示する。ユーザはこれらの項目を見て、どの駐車場を利用するかを決定する。なお、検索結果として表示する駐車場の数を、あらかじめ設定しておいてもよい。
【００５７】
また、検索結果画面５０１には、詳細表示ボタン５２１、決定ボタン５２２、再検索ボタン５２３、キャンセルボタン５２４が表示される。いずれかの駐車場が選択された状態で詳細表示ボタン５２１が押下されると、選択されている駐車場の詳細情報を表示する。いずれかの駐車場が選択された状態で決定ボタン５２２が押下されると、選択されている駐車場を利用すると決定する。再検索ボタン５２３が押下されると、検索条件を変更して、再度目的地点周辺の駐車場を検索する。キャンセルボタン５２４が押下されると、駐車場の検索をキャンセルする。
【００５８】
このように、リスト化して検索結果を表示する他、たとえば、検索された駐車場を地図上に表示することとしてもよい。図６は、駐車場の検索結果の他の表示例を示す説明図である。
【００５９】
図６において、ディスプレイ３１４には、地図データＭＰが表示されている。地図データＭＰには、目的地点の位置を示す目的地点表示６１１、検索された駐車場を示す検索結果表示６１２（６１２ａ〜６１２ｅ）が表示されている。検索結果表示６１２で示される駐車場は、駐車容易度によってフラグｆ１〜ｆ５が表示されている。
【００６０】
ユーザは、このフラグｆ１〜ｆ５によって、それぞれの駐車場の駐車容易性を知ることができる。なお、駐車容易性の表示については、たとえば、駐車容易性に基づいて表示色を変更したり、視覚効果（駐車容易性の高い駐車場を点滅させるなど）を変更することとしてもよい。
【００６１】
ユーザは、カーソル６１３を動かして利用する駐車場を選択する。また、図５と同様に、詳細表示ボタン６２１、決定ボタン６２２、再検索ボタン６２３、キャンセルボタン６２４を利用して操作をおこなってもよい。
【００６２】
このように地図データ上に検索結果を表示することによって、駐車場と目的地点との位置関係を把握し易くすることができる。たとえば、目的地点からの所要時間が短くても、一方通行の道路に囲まれた駐車場などは利用しにくい場合がある。検索された駐車場を地図データ上に表示することによって、駐車場への到達のしやすさやユーザの嗜好などを、駐車場の選択に反映させることができる。
【００６３】
以上説明したように、ナビゲーション装置３００によれば、駐車場の面積情報および台数情報に基づいて駐車容易性を評価する。これにより、取得が容易な情報に基づいて、駐車場の駐車容易性を評価することができる。たとえば、面積情報と台数情報とに基づいて、車両１台あたりの駐車面積を算出し、車両１台あたりの駐車面積が大きいほど駐車容易性が高いと評価する。これにより、初心者などにも車両の出し入れが容易な駐車場を駐車容易性が高いと評価することができる。
【００６４】
また、ナビゲーション装置３００によれば、目的地点周辺の駐車場を検索し、検索された駐車場を駐車容易性が高い順に表示する。これにより、駐車容易性の高い駐車場の判別を容易におこなうことができる。このとき、合わせて駐車場の詳細な情報（目的地点からの距離や料金など）を表示することによって、より適切に駐車場の選択をおこなうことができる。
【００６５】
さらに、ナビゲーション装置３００によれば、目的地点周辺で検索された駐車場のうち、ユーザによって選択された駐車場までの経路を探索して誘導する。これにより、駐車容易性の高い駐車場への誘導を簡素な処理でおこなうことができる。
【００６６】
なお、本実施の形態で説明した情報処理方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００６７】
【図１】実施の形態にかかる情報処理装置の機能的構成を示すブロック図である。
【図２】情報処理装置による情報処理の手順を示すフローチャートである。
【図３】ナビゲーション装置のハードウェア構成を示すブロック図である。
【図４】ナビゲーション装置による経路誘導処理の手順を示すフローチャートである。
【図５】駐車場の検索結果の表示例を示す説明図である。
【図６】駐車場の検索結果の他の表示例を示す説明図である。
【符号の説明】
【００６８】
１００  情報処理装置
１０１  取得部
１０２  評価部
１０３  処理部
【図１】
2007240251.tif 000003
【図２】
2007240251.tif 000004
【図３】
2007240251.tif 000005
【図４】
2007240251.tif 000006
【図５】
2007240251.tif 000007
【図６】
2007240251.tif 000008